(57)【特許請求の範囲】
【請求項１】
一対の肩ベルト（１、１）のそれぞれの一端に連結された連結ベルト（２）を、肩当てパッド（３）の上面に重ね合わせ、前記連結ベルト（２）の一端部（２ａ）を、使用状態における前記肩当てパッド（３）の一端部（３ａ）より中央寄りの内側部（３ｂ）に傾斜角（α）を有して接続し、前記連結ベルト（２）の中間部（２ｂ）を、前記肩当てパッド（３）の両端部（３ａ、３ｂ）寄りに移動可能として、前記肩ベルト（１、１）のそれぞれの他端に連結したリング（４ａ、４ｂ）に通過させ、前記連結ベルト（２）の他端部（２ｃ）を、使用状態における前記肩当てパッド（３）の他端部（３ｃ）より中央寄りの内側部（３ｂ）に傾斜角（α）を有して接続したことを特徴とする鞄用肩掛けベルト。
【請求項２】
前記連結ベルト（２）の中間部（２ｂ）は、使用状態における肩当てパッド（３）の上面の中央の外側部（３ｄ）寄りに設けられた挿入部（５）を移動可能として通過するようにしていることを特徴とする請求項１記載の鞄用肩掛けベルト。
【請求項３】
前記連結ベルト（２）は、肩当てパッド（３）の上面において、略二等辺三角形状を形成するようにして配置していることを特徴とする請求項１記載の鞄用肩掛けベルト。
【請求項４】
前記肩当てパッド（３）は、全体が所定の湾曲角（β）を有したものとしていることを特徴とする請求項１記載の鞄用肩掛けベルト。
【請求項５】
前記リング（４ａ、４ｂ）は、使用状態における肩当てパッド（３）の両端部（３ａ、３ｃ）寄りの内外側部（３ｂ、３ｄ）間に取り付けられた保持体（８）により移動可能として保持されていることを特徴とする請求項１記載の鞄用肩掛けベルト。
【請求項６】
前記リング（４ａ、４ｂ）は、肩当てパッド（３）の両端部（３ａ、３ｃ）間の連結ベルト（２）を覆うようにして取り付けられた保持体（８）により移動可能として保持されていることを特徴とする請求項１記載の鞄用肩掛けベルト。
【請求項７】
前記傾斜角（α）は、４５〜７５度にしていることを特徴とする請求項１記載の鞄用肩掛けベルト。
【請求項８】
前記肩当てパッド（３）の下面に、ジクザグ状に配置した縫い目（７）を設けたものとして、この肩当てパッド（３）の下面を凹凸形状にしていることを特徴とする請求項１〜７の何れかに記載の鞄用肩掛けベルト。
【発明の詳細な説明】
【技術分野】
【０００１】
この発明は、肩に掛けてぶら下げることができる鞄に使用される鞄用肩掛けベルトに関するものである。
【背景技術】
【０００２】
この種の鞄用肩掛けベルトは、肩に掛けた際にベルトが肩から滑り落ちないようにしたり、肩に部分的に強い力がかからないように、種々の工夫がなされている。また、肩当てパッド本体の形状についても、肩掛け、斜め掛けの両方に対応する直線形状のものと、肩掛け時に特化して肩の形状に合わせた湾曲形状のもの、といったように鞄の使用状況により種々の形状が存在する。
【０００３】
従来、この種の鞄用肩掛けベルトにおいて、例えば図７に示したように、接続解除可能な連結具１１を介して鞄を支えるための可動ショルダストラップ１２と固定ショルダクッション１３との組合せからなるものが存在する。
【０００４】
図７に示した鞄用肩掛けベルトは、前記一対の可動ショルダストラップ１２を固定ショルダクッション１３に対して横方向に回動可能に取り付けている。これにより、一対の可動ショルダストラップ１２が、適正な接続解除可能な連結具１１を介して鞄を支えることができるとともに固定ショルダクッション１３に対して移動できるようにしている。一方、固定ショルダクッション１３が、少なくとも一対の可動ショルダストラップ１２の動きによって引き起こされる着用者に対する影響を排除するために移動しないようにするためのＤ環１４を備えている（特許文献１）。
【０００５】
さらに、この種の鞄用肩掛けベルトにおいて、例えば図８に示したように、肩当てパッド２１の上面に帯状の吊下ベルト２２を当接して固定した鞄を吊り下げることができるようにしたものが存在する。
【０００６】
図８に示した鞄用肩掛けベルトは、前記吊下ベルト２２の対応する両側部に角度の異なる非平行なスリット２３、２４を有する方向変換金具２５を肩当てパッド２１の両端部付近の吊下ベルト２２の途中に、それぞれ割込ませて取付けたものとしている。このようにすることにより、肩当てパッド２１の両端部付近より先の吊下ベルト２２の方向を肩当てパッド２１の軸方向より角度をもたせている（特許文献２）。
【先行技術文献】
【特許文献】
【０００７】
【特許文献１】特表２０１３−５０２２９７号公報
【特許文献２】特開平９ー２１５５１６号公報
【発明の概要】
【発明が解決しようとする課題】
【０００８】
上記従来の鞄用肩掛けベルトは、図７に示したように、固定ショルダクッション１３と可動ショルダストラップ１２との角度を自由に調整できるものとしたり、図８に示したように、肩当てパッド２１と吊下ベルト２２とを角度をもたせたものとして、肩に掛けた際に固定ショルダクッション１３または肩当てパッド２１が滑って、肩掛けベルトが肩から滑り落ちないようにしている。
【０００９】
しかしながら、上記従来の鞄用肩掛けベルトでは、固定ショルダクッション１３と可動ショルダストラップ１２との角度を調整したり、肩当てパッド２１と吊下ベルト２２とを角度をもたせたものとするだけでは、肩から滑り落ちないようするには不充分であるという課題を有していた。
【００１０】
また、上記従来の鞄用肩掛けベルトは、図７に示したように、固定ショルダクッション１３の両端部付近に可動ショルダストラップ１２が接続されていたり、図８に示したように、肩当てパッド２１の両端部付近に吊下ベルト２２が接続されている。
【００１１】
そのため、上記従来の鞄用肩掛けベルトでは、固定ショルダクッション１３または肩当てパッド２１の中心付近に鞄の荷重が集中し、着用者の肩の頂部に強い力がかかり、鞄の掛け心地が悪くなってしまうという課題を有していた。
【００１２】
そこで、この発明は、上記従来の課題を解決するためになされたものであり、肩に掛けた際にベルトが肩から滑り落ちないようにする効果を高めるとともに、肩に部分的に強い力が掛からないようにして、鞄の掛け心地が悪くならないようにした鞄用肩掛けベルトを提供することを目的とする。
【課題を解決するための手段】
【００１３】
そのため、この発明の鞄用肩掛けベルトは、一対の肩ベルト１、１のそれぞれの一端に連結された連結ベルト２を、肩当てパッド３の上面に重ね合わせ、前記連結ベルト２の一端部２ａを、使用状態における前記肩当てパッド３の一端部３ａより中央寄りの内側部３ｂに傾斜角αを有して接続し、前記連結ベルト２の中間部２ｂを、前記肩当てパッド３の両端部３ａ、３ｂ寄りに移動可能として、前記肩ベルト１、１のそれぞれの他端に連結したリング４ａ、４ｂに通過させ、前記連結ベルト２の他端部２ｃを、使用状態における前記肩当てパッド３の他端部３ｃより中央寄りの内側部３ｂに傾斜角αを有して接続したものとしている。
【００１４】
そして、この発明の鞄用肩掛けベルトにおいて、前記連結ベルト２の中間部２ｂは、使用状態における肩当てパッド３の上面の中央の外側部３ｄ寄りに設けられた挿入部５を移動可能として通過するようにしている。
【００１５】
さらに、この発明の鞄用肩掛けベルトにおいて、前記連結ベルト２は、肩当てパッド３の上面において、略二等辺三角形状を形成するようにして配置している。
【００１６】
また、この発明の鞄用肩掛けベルトにおいて、前記肩当てパッド３は、全体が所定の湾曲角βを有したものとしている。
【００１７】
さらに、この発明の鞄用肩掛けベルトにおいて、前記リング４ａ、４ｂは、使用状態における肩当てパッド３の両端部３ａ、３ｃ寄りの内外側部３ｂ、３ｄ間に取り付けられた保持体８により移動可能として保持されている。
【００１８】
また、この発明の鞄用肩掛けベルトにおいて、前記リング４ａ、４ｂは、肩当てパッド３の両端部３ａ、３ｃ間の連結ベルト２を覆うようにして取り付けられた保持体８により移動可能として保持されている。
【００１９】
さらに、この発明の鞄用肩掛けベルトにおいて、前記傾斜角αは、４５〜７５度にしている。
【００２０】
また、この発明の鞄用肩掛けベルトにおいて、前記肩当てパッド３の下面には、ジクザグ状に配置した縫い目７を設けたものとして、この肩当てパッド３の下面を凹凸形状にしている。
【発明の効果】
【００２１】
この発明の鞄用肩掛けベルトは、以上に述べたような構成としているので、肩に掛けた際にベルトが肩から滑り落ちないようにする効果が高められ、さらに肩に部分的に強い力が掛からないものとなり、鞄の掛け心地が悪くならないものとなった。
【図面の簡単な説明】
【００２２】
【図１】この発明の鞄用肩掛けベルトの全体図である。
【図２】この発明の鞄用肩掛けベルトにおける肩ベルトと肩当てパッドとの接続部を示す平面図である。
【図３】この発明の鞄用肩掛けベルトにおける肩ベルトと肩当てパッドとの接続部を示す底面図である。
【図４】図２中のＡ−Ａ線による断面図である。
【図５】この発明の鞄用肩掛けベルトにおける肩ベルトの移動状態を示す説明図である。
【図６】この発明の鞄用肩掛けベルトの着用状態を示す説明図である。
【図７】従来の鞄用肩掛けベルトの一例を一部省略して示す平面図である。
【図８】従来の鞄用肩掛けベルトの他の例の要部を示す平面図である。
【発明を実施するための形態】
【００２３】
以下、この発明の鞄用肩掛けベルトを実施するための形態を、図面に基づいて詳細に説明する。
【００２４】
この発明の鞄用肩掛けベルトは、図１に示したように、一対の肩ベルト１、１と、連結ベルト２と、肩当てパッド３とを備えたものとしている。
【００２５】
前記一対の肩ベルト１、１のそれぞれの一端は、前記連結ベルト２により連結されており、この連結ベルト２は、前記肩当てパッド３の上面に重ね合わせたものとしている。
【００２６】
前記肩ベルト１は、それぞれ長さ調節自在として、前記連結ベルト２を連結していない方の他端に、鞄に設けたリング等の止め具（図示せず）に着脱自在とした取付フック４を設けている。
【００２７】
前記連結ベルト２の一端部２ａは、図２に示したように、前記肩当てパッド３の一端部３ａより中央寄りの内側部３ｂに傾斜角αを有して接続している。
【００２８】
前記連結ベルト２の中間部２ｂは、同様に図２に示したように、前記肩当てパッド３の両端部３ａ、３ｃ寄りにおいて、移動可能として肩ベルト１、1 のそれぞれの他端に連結したリング４ａ、４ｂに通過させている。
【００２９】
前記連結ベルト２の他端部２ｃは、同様に図２に示したように、前記肩当てパッド３の他端部３ｃより中央寄りの内側部３ｂに傾斜角αを有して接続している。
【００３０】
前記傾斜角αは、前記連結ベルト２の長さなどによって変わるが、４５〜７５度にするのが、肩当てパッド３と連結する部分の面積も広がり、肩当てパッド３に確りと接続しておける。
【００３１】
さらに、前記連結ベルト２の中間部２ｂは、前記肩当てパッド３の上面の中央の外側部３ｄ寄りに設けられた挿入部５を移動可能として通過するようにしている。これは肩当てパッド３全体を均一に押さえつけてフィットさせるためで、両端部２ａ、２ｃが縫着される内側部３ｂ側のみに荷重が集中するのを防ぎ、外側部３ｄ側にも荷重を分散するためである。前記挿入部５は、帯状生地の両側部を肩当てパッド３の上面に縫着するなどして設けたものとしており、前記連結ベルト２が通過できるように両端部を開口したものとしている。なお、この挿入部５は、前記連結ベルト２の中間部２ｂを肩当てパッド３の上面側の位置に保持するためだけでなく、同時に浮き上がりを防止し、着用者の手の指等がその中間部２ｂに引っ掛かったりしないようにしている。
【００３２】
また、前記連結ベルト２は、前記肩当てパッド３の上面において、未使用状態では、略二等辺三角形状を形成するようにして配置している。そして、使用状態では、鞄の荷重による図中上方の肩ベルト１と図中下方の肩ベルト１とから作用する引っ張り力の差によって、前記連結ベルト２の略二等辺三角形状は変形して、その作用する引っ張り力のバランスを保つことができるようにしている。なお、図示したものは、前記連結ベルト２の一端部２ａと他端部２ｂとの間は、少し隙間をあけたものとしているが、隙間をあけずに引っ付けたものとしてもよい。
【００３３】
前記肩当てパッド３は、着用者の使用用途に合わせて全体を直線状にしてもよいし、図示したように全体が所定の湾曲角βを有したものとしてもよい。直線状のものは、肩掛けだけでなく斜め掛け（襷掛け）にも対応して肩の負担軽減効果を発揮できる。また、湾曲角βを有したものは、肩掛けにより特化したもので、肩当てパッド３が着用者の肩に沿い易くなり、肩掛け時に肩から滑り落ちにくいものとなる。なお、前記湾曲角βは、１２０〜１６０度にするのが、一般的な着用者の肩に沿い易くなり、好ましいものとなる。
【００３４】
さらに、前記肩当てパッド３は、図４に示したように、上面と下面の間にクッション材６を挟み込んで周囲を縫着すると共に、この肩当てパッド３の下面に、ジクザグ状に配置した縫い目７を設けたものとして、肩当てパッド３の下面を凹凸形状にしている。
【００３５】
前記リング４ａ、４ｂは、略Ｄ字状に形成したり、略Ｏ字状などに形成したものとしており、前記肩当てパッド３の両端部３ａ、３ｃ寄りの内外側部３ｂ、３ｄ間に取り付けられた保持体８により移動可能として保持されている。なお、前記保持体８は、両端部３ａ、３ｃに別体として取り付けられたものとしているが、両端部３ａ、３ｃ間の連結ベルト２を覆うように一体として取り付けられたものとしてもよい。
【００３６】
以上のように構成したこの発明の鞄用肩掛けベルトは、図６に示したように、一対の肩ベルト１、１のそれぞれの止め具（図示せず）を、鞄Ｂの両側面上部や上面両端部などに設けた肩掛け用リング（図示せず）にそれぞれ引っ掛け、それぞれの肩ベルト１、１の長さを調節することにより、鞄Ｂを一方の肩に掛けてぶら下げた状態にして使用する。
【００３７】
このようにすると、この発明の鞄用肩掛けベルトでは、鞄Ｂの荷重による図中上方の肩ベルト１と下方の肩ベルト１とから作用する引っ張り力の差によって、前記連結ベルト２の略二等辺三角形状は変形して、その作用する引っ張り力のバランスを保つことができる。また、このバランスの保持機構は、着用者の体勢変化や歩行等の肩の動きの変化に対して動的に作動し、効果が発揮される。
【００３８】
したがって、この発明の鞄用肩掛けベルトでは、図中上方または下方の何れか一方の肩ベルト１に片寄った力が作用することなく、肩当てパッド３が肩から滑って、肩掛けベルトが肩から滑り落ちないものとなる。
【００３９】
そして、この発明の鞄用肩掛けベルトでは、前記連結ベルト２の略二等辺三角形状が変形することにより、鞄Ｂの荷重が肩当てパッド３の全体に分散され、着用者の肩の頂部に強い力がかからないものとなり、鞄の掛け心地が悪くなってしまうことがない。
【００４０】
さらに、この発明の鞄用肩掛けベルトは、肩当てパッド３全体が所定の湾曲角βを有したものでは、肩当てパッド３が着用者の肩に沿い易くなり、肩からより滑り落ちにくいものとなる。
【００４１】
また、この発明の鞄用肩掛けベルトは、肩当てパッド３の下面にジクザグ状に配置した縫い目７を設けたものとして、この肩当てパッド３の下面を凹凸形状にしたものでは、肩当てパッド３が捻じれやすく肩の動きの変化に対応しながら接触面積を稼げるために、肩との摩擦抵抗を大きく維持しやすく、肩からさらに滑り落ちにくいものとなる。
【００４２】
以上に述べたように、この発明の鞄用肩掛けベルトは、肩に掛けた際に肩ベルト１が肩から滑り落ちないようにする効果が高められ、さらに肩に部分的に強い力が掛からないものとなり、鞄の掛け心地が悪くならないものとなった。
【符号の説明】
【００４３】
１  肩ベルト
２  連結ベルト
２ａ  一端部
２ｂ  中間部
２ｃ  他端部
３  肩当てパッド
３ａ  一端部
３ｂ  内側部
３ｃ  他端部
３ｄ  外側部
４ａ  リング
４ｂ  リング
５  挿入部
７  縫い目
８  保持体
α  傾斜角
β  湾曲角
【図１】
0005861969.tif 000002
【図２】
0005861969.tif 000003
【図３】
0005861969.tif 000004
【図４】
0005861969.tif 000005
【図５】
0005861969.tif 000006
【図６】
0005861969.tif 000007
【図７】
0005861969.tif 000008
【図８】
0005861969.tif 000009